(57)【特許請求の範囲】
【請求項１】
背面に設置された光源により照明されることで情報を表示する情報表示パネル用の積層シートであって、
光透過性を有する支持体と、
前記支持体の光源と逆側の面のうち、第１の領域に積層された第１の反射層と、
前記第１の反射層の光源と逆側の面に積層された第１の遮光層と、
前記支持体の光源と逆側の面のうち、前記支持体の厚さ方向から見て前記第１の領域に隣接する第２の領域に積層された第１の加飾層と、
前記第１の加飾層の光源と逆側の面に積層され、文字を含む意匠形状を構成するパターンが形成されている第２の加飾層と、
前記支持体の光源側の面のうち、前記支持体の厚さ方向から見て前記第１の領域に隣接し、かつ第２の領域と離隔した第３の領域に積層された第２の反射層と、
前記第２の反射層の光源側の面に積層されるとともに、前記支持体の光源側の面のうち第２の領域に積層された第２の遮光層とを有し、
前記第２の遮光層のうち、前記支持体の厚さ方向から見て前記第２の加飾層が積層された領域に相当する領域は遮光性が低い、
ことを特徴とする積層シート。
【請求項２】
背面に設置された光源により照明されることで情報を表示する情報表示パネル用の積層シートであって、
光透過性を有する支持体と、
前記支持体の光源と逆側の面のうち、第１の領域と前記第１の領域に隣接する第２の領域に積層された第１の反射層と、
前記第１の反射層の光源と逆側の面のうち、第１の領域に積層された第１の遮光層と、
前記第１の反射層の光源と逆側の面のうち、第２の領域に積層された第１の加飾層と、
前記第１の加飾層の光源と逆側の面に積層され、文字を含む意匠形状を構成するパターンが形成されている第２の加飾層と、
前記支持体の光源側の面のうち前記支持体の厚さ方向から見て前記第１の領域に隣接しかつ第２の領域と離隔した第３の領域に積層されるとともに、前記支持体の厚さ方向から見て前記第２の領域のうち前記第２の加飾層が形成されていない領域に相当する領域に積層された第２の反射層と、
前記第２の反射層の光源側の面に積層された第２の遮光層とを有する、
ことを特徴とする積層シート。
【請求項３】
前記第３の領域において前記支持体と前記第２の反射層の間に配置され、全光線透過率が４％以上８０％以下である第３の加飾層をさらに有することを特徴とする請求項１又は２に記載の積層シート。
【請求項４】
前記支持体の光源と逆側の面のうち、前記第３の領域に積層され、ヘイズ値５％以上、全光線透過率６０％以上の第１の拡散層をさらに有することを特徴とする請求項３に記載の積層シート。
【請求項５】
前記支持体の光源と逆側の面のうち、前記第３の領域に積層され、全光線透過率が４％以上の第３の加飾層をさらに有することを特徴とする請求項１又は２に記載の積層シート。
【請求項６】
前記支持体の光源側の各層のうち最も光源に近い面のうち、少なくとも前記第１の領域及び前記第２の領域に積層され、全光線透過率が２０％以上で有彩色の光透過性着色層をさらに有することを特徴とする請求項１乃至５のいずれかに記載の積層シート。
【請求項７】
前記支持体の光源側の面のうち、前記第２の領域でかつ、前記第２の反射層が積層されていない領域に積層され、全光線透過率が２０％以上で有彩色の光透過性着色層をさらに有することを特徴とする請求項２記載の積層シート。
【請求項８】
前記第３の領域の最も広い部分の幅をｗ３とし、前記第１の領域の最も狭い部分の幅をｗ１とした時に、以下の式（１）が成り立つことを特徴とする請求項１乃至７のいずれかに記載の積層シート。
ｗ１/ｗ３≧０．１５・・・（１）
【請求項９】
前記支持体の厚さをｄとした時に、前記第１の領域の最も狭い部分の幅ｗ１との関係が以下の式（２）のように成ることを特徴とする請求項１乃至８のいずれかに記載の積層シート。
ｄ×ｗ１≧１．００ｍｍ２・・・（２）
【請求項１０】
前記第２の領域において最も広い部分をｗ２とし、前記第１の領域及び前記第２の領域において最も狭い部分の幅をｗ’とし、前記第１の加飾層の全光線透過率をＴｔ１とした時に、以下の式（３）が成り立つことを特徴とする請求項２乃至９のいずれかに記載の積層シート。
ｗ’/ｗ２×Ｔｔ１≧０．１５・・・（３）
【請求項１１】
前記支持体の厚さをｄとし、前記第１の領域及び前記第２の領域において最も狭い部分の幅をｗ’とし、前記第１の加飾層の全光線透過率をＴｔ１とした時に、以下の式（４）が成り立つことを特徴とする請求項２乃至１０のいずれかに記載の積層シート。
ｄ×ｗ’×Ｔｔ１≧１．００ｍｍ２・・・（４）
【請求項１２】
前記支持体の厚さが０．１ｍｍから５ｍｍまでの範囲であることを特徴とする請求項１乃至１１のいずれかに記載の積層シート。
【請求項１３】
前記第２の領域における前記第１の反射層が、前記支持体の厚さ方向から見て前記第２の加飾層が形成されている領域に相当する領域にのみ形成されていることを特徴とする請求項２記載の積層シート。
【請求項１４】
前記第２の領域における前記第２の遮光層は、前記支持体の厚さ方向から見て前記第２の加飾層が形成されている領域に相当する領域の外周から外側に１ｍｍまでの範囲内に対応する第２の加飾層相当領域の全光線透過率が６０％以上であり、前記第２の加飾層相当領域以外の領域の全光線透過率が２０％以下であることを特徴とする請求項１記載の積層シート。
【請求項１５】
前記第１の遮光層に絵柄形状の開口部が設けられていることを特徴とする請求項１乃至１４のいずれかに記載の積層シート。
【請求項１６】
前記第１の反射層のうち第１の領域に絵柄形状の開口部が設けられていることを特徴とする請求項１５に記載の積層シート。
【請求項１７】
前記第１の遮光層に絵柄形状の開口部が設けられ、
前記光透過性着色層は、前記支持体の厚さ方向から見て前記第１の遮光層の開口部に相当する領域の外周から外側に１ｍｍまでの範囲内に対応する領域に、開口部を有することを特徴とする請求項６に記載の積層シート。
【請求項１８】
前記光透過性着色層は、前記支持体の厚さ方向から見て前記第２の加飾層が形成されている領域に相当する領域の外周から外側に１ｍｍまでの範囲内に対応する第２の加飾層相当領域に、開口部を有することを特徴とする請求項６に記載の積層シート。
【請求項１９】
前記支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至１８のいずれかに記載の積層シート。
【請求項２０】
前記支持体はヘイズ値が１２％以上の樹脂であることを特徴とする請求項１乃至１８のいずれかに記載の積層シート。
【請求項２１】
前記支持体は光透過層と光拡散層を含み、前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上の樹脂であることを特徴とする請求項１乃至１８のいずれかに記載の積層シート。
【請求項２２】
前記第１の反射層における３８０〜７８０ｎｍの光線の反射率が６０％以上であることを特徴とする請求項１乃至２１のいずれかに記載の積層シート。
【請求項２３】
前記第１の遮光層の全光線透過率が２０％以下であることを特徴とする請求項１乃至２２のいずれかに記載の積層シート。
【請求項２４】
前記第１の加飾層の全光線透過率が２０％以上８０％以下であることを特徴とする請求項１乃至２３のいずれかに記載の積層シート。
【請求項２５】
前記第２の加飾層の全光線透過率が２０％以下であることを特徴とする請求項１乃至２４のいずれかに記載の積層シート。
【請求項２６】
前記第２の反射層における３８０〜７８０ｎｍの光線の反射率が６０％以上であることを特徴とする請求項１乃至２５のいずれかに記載の積層シート。
【請求項２７】
前記第３の領域における前記第２の遮光層の全光線透過率が２０％以下であることを特徴とする請求項１乃至２６のいずれかに記載の積層シート。
【請求項２８】
光源と、請求項１乃至２７のいずれかに記載の積層シートを少なくとも含む情報表示パネル。
【請求項２９】
前記光源がエッジライト式光源と導光板からなる面光源であることを特徴とする請求項２８に記載の情報表示パネル。
【請求項３０】
前記光源がＬＥＤ光源であることを特徴とする請求項２８に記載の情報表示パネル。
【請求項３１】
請求項２８乃至３０のいずれかに記載の情報表示パネルを具備した情報表示機器。
【発明の詳細な説明】
【技術分野】
【０００１】
本発明は、表裏の印刷層を備える情報表示パネル用積層シートに関し、特に遮光層および反射層を備えた情報表示パネル用積層シート、及び情報表示パネル、及び情報表示機器に関する。
【背景技術】
【０００２】
従来の情報表示パネルとして、透明基板の背面の文字・絵柄に対応する部分に開口部を含む有彩色の遮光反射層と白色の透過性反射層が順に積層され、表面には白色層と暗色層が順に積層され、文字・絵柄に対応する部分が開口部となっている構成を有するものがある。
【０００３】
上記の情報表示パネルの構成を用いることで、ランプ非点灯時は、外光により、文字・絵柄部分が有彩色で囲まれた白色で視認され、文字・絵柄の周囲は暗色で視認される。また、ランプ点灯時は白色の透過反射層を透過し、有彩色の遮光反射層の開口部を抜けた白色の光が視認されるとともに、裏面から入射し、表面の白色層で反射した光が裏面の有彩色の遮光反射層で再度反射されて表面の開口部から抜けて有彩色の間接光状に視認される（特許文献１）。
【先行技術文献】
【特許文献】
【０００４】
【特許文献１】実開平４−１２０９９０号
【発明の概要】
【発明が解決しようとする課題】
【０００５】
しかしながら、従来の技術ではランプ点灯時に有彩の間接光と白色の直接光で文字・絵柄の立体感を表現するものの、ランプ非点灯に外光により観察する場合と色は変わらず、ランプ点灯、非点灯で色変化をつけて表現することができなかった。
本発明は光源の点灯により、文字・絵柄等の外周部から漏れる間接光を観察者が視認することで文字・絵柄等に立体感を生じさせるとともに、光源の非点灯時との色変化をつけて文字・絵柄を美しく表現することを課題とする。 
【課題を解決するための手段】
【０００６】
本発明は、上記課題を解決するために次のような構成を備えている。
請求項１に記載の発明は、背面に設置された光源により照明されることで情報を表示する情報表示パネル用の積層シートであって、光透過性を有する支持体と、前記支持体の光源と逆側の面のうち、第１の領域に積層された第１の反射層と、前記第１の反射層の光源と逆側の面に積層された第１の遮光層と、前記支持体の光源と逆側の面のうち、前記支持体の厚さ方向から見て前記第１の領域に隣接する第２の領域に積層された第１の加飾層と、前記第１の加飾層の光源と逆側の面に積層され、文字を含む意匠形状を構成するパターンが形成されている第２の加飾層と、前記支持体の光源側の面のうち、前記支持体の厚さ方向から見て前記第１の領域に隣接し、かつ第２の領域と離隔した第３の領域に積層された第２の反射層と、前記第２の反射層の光源側の面に積層されるとともに、前記支持体の光源側の面のうち第２の領域に積層された第２の遮光層とを有し、前記第２の遮光層のうち、前記支持体の厚さ方向から見て前記第２の加飾層が積層された領域に相当する領域は遮光性が低いことを特徴とする積層シートである。
【０００７】
請求項２に記載の発明は、背面に設置された光源により照明されることで情報を表示する情報表示パネル用の積層シートであって、光透過性を有する支持体と、前記支持体の光源と逆側の面のうち、第１の領域と前記第１の領域に隣接する第２の領域に積層された第１の反射層と、前記第１の反射層の光源と逆側の面のうち、第１の領域に積層された第１の遮光層と、前記第１の反射層の光源と逆側の面のうち、第２の領域に積層された第１の加飾層と、前記第１の加飾層の光源と逆側の面に積層され、文字を含む意匠形状を構成するパターンが形成されている第２の加飾層と、前記支持体の光源側の面のうち前記支持体の厚さ方向から見て前記第１の領域に隣接しかつ第２の領域と離隔した第３の領域に積層されるとともに、前記支持体の厚さ方向から見て前記第２の領域のうち前記第２の加飾層が形成されていない領域に相当する領域に積層された第２の反射層と、前記第２の反射層の光源側の面に積層された第２の遮光層とを有することを特徴とする積層シートである。
【０００８】
請求項３に記載の発明は、前記第３の領域において前記支持体と前記第２の反射層の間に配置され、全光線透過率が４％以上８０％以下である第３の加飾層をさらに有することを特徴とする請求項１又は２に記載の積層シートである。
【０００９】
請求項４に記載の発明は、前記支持体の光源と逆側の面のうち、前記第３の領域に積層され、ヘイズ値５％以上、全光線透過率６０％以上の第１の拡散層をさらに有することを特徴とする請求項３に記載の積層シートである。
【００１０】
請求項５に記載の発明は、前記支持体の光源と逆側の面のうち、前記第３の領域に積層され、全光線透過率が４％以上の第３の加飾層をさらに有することを特徴とする請求項１又は２に記載の積層シートである。
【００１１】
請求項６に記載の発明は、前記支持体の光源側の各層のうち最も光源に近い面のうち、少なくとも前記第１の領域及び前記第２の領域に積層され、全光線透過率が２０％以上で有彩色の光透過性着色層をさらに有することを特徴とする請求項１乃至５のいずれかに記載の積層シートである。
【００１２】
請求項７に記載の発明は、前記支持体の光源側の面のうち、前記第２の領域でかつ、前記第２の反射層が積層されていない領域に積層され、全光線透過率が２０％以上で有彩色の光透過性着色層をさらに有することを特徴とする請求項２記載の積層シートである。
【００１３】
請求項８に記載の発明は、前記第３の領域の最も広い部分の幅をｗ３とし、前記第１の領域の最も狭い部分の幅をｗ１とした時に、以下の式（１）が成り立つことを特徴とする請求項１乃至７のいずれかに記載の積層シートである。
ｗ１/ｗ３≧０．１５・・・（１）
【００１４】
請求項９に記載の発明は、前記支持体の厚さをｄとした時に、前記第１の領域の最も狭い部分の幅ｗ１との関係が以下の式（２）のように成ることを特徴とする請求項１乃至８のいずれかに記載の積層シートである。
ｄ×ｗ１≧１．００ｍｍ２・・・（２）
【００１５】
請求項１０に記載の発明は、前記第２の領域における前記第２の反射層の最も広い部分をｗ２とし、前記第１の領域及び前記第２の領域において最も狭い部分の幅をｗ’とし、前記第１の加飾層の全光線透過率をＴｔ１とした時に、以下の式（３）が成り立つことを特徴とする請求項２乃至９のいずれかに記載の積層シートである。
ｗ’/ｗ２×Ｔｔ１≧０．１５・・・（３）
である。
【００１６】
請求項１１に記載の発明は、前記支持体の厚さをｄとし、前記第１の領域及び前記第２の領域において最も狭い部分の幅をｗ’とし、前記第１の加飾層の全光線透過率をＴｔ１とした時に、以下の式（４）が成り立つことを特徴とする請求項２乃至１０のいずれかに記載の積層シートである。
ｄ×ｗ’×Ｔｔ１≧１．００ｍｍ２・・・（４）
【００１７】
請求項１２に記載の発明は、前記支持体の厚さが０．１ｍｍから５ｍｍまでの範囲であることを特徴とする請求項１乃至１１のいずれかに記載の積層シートである。
【００１８】
請求項１３に記載の発明は、前記第２の領域における前記第１の反射層が、前記支持体の厚さ方向から見て前記第２の加飾層が形成されている領域に相当する領域にのみ形成されていることを特徴とする請求項２記載の積層シートである。
【００１９】
請求項１４に記載の発明は、前記第２の領域における前記第２の遮光層は、前記支持体の厚さ方向から見て前記第２の加飾層が形成されている領域に相当する領域の外周から外側に１ｍｍまでの範囲内に対応する第２の加飾層相当領域の全光線透過率が６０％以上であり、前記第２の加飾層相当領域以外の領域の全光線透過率が２０％以下であることを特徴とする請求項１記載の積層シートである。
【００２０】
請求項１５に記載の発明は、前記第１の遮光層に絵柄形状の開口部が設けられていることを特徴とする請求項１乃至１４のいずれかに記載の積層シートである。
【００２１】
請求項１６に記載の発明は、前記第１の反射層のうち第１の領域に絵柄形状の開口部が設けられていることを特徴とする請求項１５に記載の積層シートである。
【００２２】
請求項１７に記載の発明は、前記第１の遮光層に絵柄形状の開口部が設けられ、
前記光透過性着色層は、前記支持体の厚さ方向から見て前記第１の遮光層の開口部に相当する領域の外周から外側に１ｍｍまでの範囲内に対応する領域に、開口部を有することを特徴とする請求項６に記載の積層シートである。
【００２３】
請求項１８に記載の発明は、前記光透過性着色層は、前記支持体の厚さ方向から見て前記第２の加飾層が形成されている領域に相当する領域の外周から外側に１ｍｍまでの範囲内に対応する第２の加飾層相当領域に、開口部を有することを特徴とする請求項６に記載の積層シートである。
【００２４】
請求項１９に記載の発明は、前記支持体はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であることを特徴とする請求項１乃至１８のいずれかに記載の積層シートである。
【００２５】
請求項２０に記載の発明は、前記支持体はヘイズ値が１２％以上の樹脂であることを特徴とする請求項１乃至１８のいずれかに記載の積層シートである。
【００２６】
請求項２１に記載の発明は、前記支持体は光透過層と光拡散層を含み、前記光透過層はポリカーボネート、ポリプロピレン、発泡ポリプロピレン、ポリエチレンテレフタレート、ポリメタクリル酸メチル、アクリル、ポリスチレン、メタクリル・スチレン共重合体またはアクリルニトリル・スチレン共重合体のいずれかの樹脂であり、前記光拡散層はヘイズ値が１２％以上の樹脂であることを特徴とする請求項１乃至１８のいずれかに記載の積層シートである。
【００２７】
請求項２２に記載の発明は、前記第１の反射層における３８０〜７８０ｎｍの光線の反射率が６０％以上であることを特徴とする請求項１乃至２１のいずれかに記載の積層シートである。
【００２８】
請求項２３に記載の発明は、前記第１の遮光層の全光線透過率が２０％以下であることを特徴とする請求項１乃至２２のいずれかに記載の積層シートである。
【００２９】
請求項２４に記載の発明は、前記第１の加飾層の全光線透過率が２０％以上８０％以下であることを特徴とする請求項１乃至２３のいずれかに記載の積層シートである。
【００３０】
請求項２５に記載の発明は、前記第２の加飾層の全光線透過率が２０％以下であることを特徴とする請求項１乃至２４のいずれかに記載の積層シートである。
【００３１】
請求項２６に記載の発明は、前記第２の反射層における３８０〜７８０ｎｍの光線の反射率が６０％以上であることを特徴とする請求項１乃至２５のいずれかに記載の積層シートである。
【００３２】
請求項２７に記載の発明は、前記第３の領域における前記第２の遮光層の全光線透過率が２０％以下であることを特徴とする請求項１乃至２６のいずれかに記載の積層シートである。
【００３３】
請求項２８に記載の発明は、光源と、請求項１乃至２７のいずれかに記載の積層シートを少なくとも含む情報表示パネルである。
【００３４】
請求項２９に記載の発明は、前記光源がエッジライト式光源と導光板からなる面光源であることを特徴とする請求項２８に記載の情報表示パネルである。
【００３５】
請求項３０に記載の発明は、前記光源がＬＥＤ光源であることを特徴とする請求項２８に記載の情報表示パネルである。
【００３６】
請求項３１に記載の発明は、請求項２８乃至３０のいずれかに記載の情報表示パネルを具備した情報表示機器である。
【発明の効果】
【００３７】
本発明は光源の射出光が反射層で拡散反射され、文字・絵柄等の外周部である第１の領域から間接光として観察者に視認されるため、文字・絵柄等に立体感を生じさせる効果がある。また、光源射出光が光透過性着色層を透過して、間接光として視認されるため、光源の点灯時と非点灯時とで色の変化をつけて文字・絵柄を美しく表現することができる効果がある。
【図面の簡単な説明】
【００３８】
【図１】本発明の第１の実施形態に係る積層シートの断面図である。
【図２】本発明の第２の実施形態に係る積層シートの断面図である。
【発明を実施するための形態】
【００３９】
以下に図面を参照して、本発明に係る情報表示パネルの好適な実施の形態について詳細に説明する。
【００４０】
図１は、本発明の第１の実施形態に係る情報表示パネル５用の積層シート４をシート延在方向に垂直な面で切った断面図である。（Ａ）は積層の順序をわかりやすくするために各層を分離してあらわしたものであり、（Ｂ）は実際に積層された状態を表したものである。
図１に示すように、積層シート４は、シートの厚さ方向からみて、第１の領域１と、第１の領域１に隣接し且つ互いに離れた、第２の領域２、第３の領域３に分かれている。
積層シート４の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図１において、観察者７は光透過性の支持体８の一方の面側から目視し、光源６は支持体８の他方の面側に設置される。
【００４１】
支持体８の観察者７側の面のうち第１の領域１に、第１の反射層１１、第１の遮光層１２が順に積層されている。
また、支持体８の観察者７側の面のうち第２の領域２に、第１の加飾層１３、第２の加飾層１４が順に積層されている。
さらに、支持体８の観察者７側の面のうち第３の領域３に、第１の拡散層３１が設けられている。
【００４２】
支持体８の光源６側の面のうち第１の領域１に、光透過性着色層２４が設けられている。
また、支持体８の光源６側の面のうち第２の領域２に、第２の遮光層２３、光透過性着色層２４が順に積層されている。
さらに、支持体８の光源６側の面のうち第３の領域３に、第３の加飾層２１、第２の反射層２２、第２の遮光層２３、光透過性着色層２４が順に積層されている。
【００４３】
支持体８は、透明樹脂のみで構成するか、又は拡散性樹脂のみで構成するか、又は透明樹脂層と拡散性樹脂層との積層によって構成することができる。
ここで、支持体８のヘイズ値は１２％以上であることが望ましい。
支持体８のヘイズ値が１２％未満の場合、支持体４に入射して拡散反射して第１の領域１に抜ける光が減少するために、間接光の輝度が低下するという弊害があるからである。
【００４４】
支持体８を透明樹脂のみで構成する場合、ポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを利用することができる。この時の支持体８の厚さは第１の反射層１１で拡散反射された光を多く第３の領域３に進ませるために０．１ｍｍ以上が好ましく、情報表示機器筐体内の空間的制約を受けないために５ｍｍ以下が好ましい。また、透明樹脂のみで構成すると支持体８における光量の損失を少なく出来るため、光源６の点灯時により明るく文字・絵柄を表示することができる。
【００４５】
支持体８を拡散性樹脂のみで構成する場合、球形または無定形の形状であり有機又は無機からなる光拡散性微粒子を含んだポリカーボネート、ＰＳ、ＭＳ、アクリルのうち少なくともいずれかを含む有機系樹脂を利用することができる。この時の支持体８の厚さは第１の反射層１１で拡散反射された光を多く第３の領域３に進ませるために０．１ｍｍ以上が好ましく、情報表示機器筐体内の空間的制約を受けないために５ｍｍ以下が好ましい。また、拡散樹脂のみで構成することにより、光源６からの直接入射光の一部が拡散樹脂で拡散反射されて第３の領域３に出るために間接光の光量を高められる。
【００４６】
支持体８を透明樹脂層と拡散性樹脂層との積層構成にする場合、透明樹脂層にはポリカーボネート、ポリプロピレン、発泡ポリプロピレン、ポリエチレンテレフタレート、ポリスチレン、メタクリル・スチレン共重合体、アクリルニトリル・スチレン共重合体、ポリメタクリル酸メチルまたはアクリルを、拡散性樹脂層には球形または無定形の形状であり有機又は無機からなる光拡散性微粒子を含んだポリカーボネート、ポリスチレン、メタクリルスチレン共重合体、アクリルのうち少なくともいずれかを含む有機系樹脂を利用することができる。この時の支持体８の厚さは第１の反射層１１で拡散反射された光を多く第３の領域３に進ませるために０．１ｍｍ以上が好ましく、情報表示機器筐体内の空間的制約を受けないために５ｍｍ以下が好ましい。また、拡散樹脂層を含む構成であることにより、光源６からの直接入射光の一部が拡散樹脂層で拡散反射されて第３の領域３に出るために間接光の光量を高められる。
ここで、拡散性樹脂層はヘイズ値が１２％以上の樹脂であることが望ましい。拡散性樹脂層のヘイズ値が１２％未満の場合、支持体に入射して拡散反射して、第１の領域１に抜ける光が減少するために、間接光の輝度が低下するという弊害があるからである。
【００４７】
次に支持体８の観察者７側の積層構造について詳細に説明する。
第１の領域１の光透過性支持体８の観察者７側の面に第１の反射層１１が配置される。
なお、第１の反射層１１は入射した光が所定の確率で拡散反射する効果を有するものである。
第１の反射層１１はスクリーン印刷によって設けることができる。特にスクリーン印刷に限定することなく、凸版印刷、フレキソ印刷、オフセット印刷、グラビア印刷、インクジェット等を用いることができる。
第１の反射層１１には白色インキを用いるのが望ましいが、光の反射効果、透過効果があれば白色インキに限らない。厚みに制限は無いが、５μｍ〜３０μｍにすると反射効果が出やすい。
また、第１の反射層１１における３８０〜７８０ｎｍの光線の反射率は６０％以上であることが望ましい。
第１の反射層１１の反射率が６０％未満であった場合、第１の反射層１１で反射される間接光の輝度が低下し、第１の領域１と第２の領域２の境界における立体感が損なわれるからである。
【００４８】
光源６が点灯した際には第１の反射層１１で反射した光が第３の領域３で間接光として視認される。この時、第１の領域１の第１の反射層１１の幅が広い方が第３の領域３に向けて拡散反射される光が多いために輝度が高くなり、第１の領域１と第３の領域３の境界における立体感が高まる。
デザイン上第１の領域１に絵柄形状を設ける場合、第１の反射層１１を透過した光が後述する第１の遮光層１２の開口部を抜けることにより、観察者から直接光として絵柄形状が視認される。また、この際に第１の反射層１１の第１の遮光層１２に対応する部分に開口部を設け、その開口部を通った光が第１の遮光層１２の開口部を抜けるようにしてもよい。
【００４９】
第１の領域１の支持体８の観察者７側の面において、第１の反射層１１の上に第１の遮光層１２が積層される。
第１の遮光層１２はスクリーン印刷によって設けることができる。特にスクリーン印刷に限定することなく、凸版印刷、フレキソ印刷、オフセット印刷、グラビア印刷、インクジェット等を用いることができる。第１の遮光層１２には黒色インキを用いるのが望ましいが、遮光効果があれば黒色インキに限らない。厚みに制限は無いが、５μｍ〜３０μｍにすると遮光効果が出やすい。
また、第１の遮光層１２の全光線透過率は、２０％以下の範囲であることが望ましい。
全光線透過率が２０％より大きい場合、第１の領域１における第１の反射層１１の透過光を遮光できず、第１の領域１と第２の領域２との間のコントラストが低下し、立体感が損なわれるという弊害があるからである。
第１の遮光層１２は第１の反射層１１を透過する光源６の光を遮光する。また、デザイン上必要があれば第１の遮光層１２に絵柄形状の開口部を設けることができる。第１の反射層１１を透過した光源６の直接光が第１の遮光層１２の開口部を抜けることにより絵柄形状が視認される。
【００５０】
第２の領域２の支持体８の観察者７側の面に第１の加飾層１３が配置される。
なお、図１（Ａ）において、積層の順序、種類をわかりやすくするため、第１の加飾層１３を第１の反射層１１の上の段に表示しているが、実際は（Ｂ）のように支持体８の観察者７側の面に積層されている。
第１の加飾層１３はスクリーン印刷によって設けることができる。特にスクリーン印刷に限定することなく、凸版印刷、フレキソ印刷、オフセット印刷、グラビア印刷、インクジェット等を用いることができる。
第１の加飾層１３には金色インキを用いるのが望ましいが、半透過性であれば金色インキに限らない。厚みに制限は無いが、５μｍ〜３０μｍにすると半透過性が出やすい。
また、第１の加飾層１３の全光線透過率は２０％以上８０％以下であることが望ましい。
第１の加飾層１３の全光線透過率が２０％未満の場合、透過光の輝度が低下して第２の加飾層１４を美しく表示できない。８０％を超えると第２の遮光層２３を隠蔽できず、外観を損なうからである。
第１の加飾層１３は半透過性のため、光源６の非点灯時には光源６側を隠蔽し、観察者７からは第２の領域は第１の加飾層１３と後述する第２の加飾層１４だけで構成されているように視認される。一方、光源６の点灯時には支持体８から入射する光源６の直接光を透過するので、非点灯時とは別の美しい意匠性を表現することができる。
【００５１】
第１の加飾層１３の観察者７側の面に文字等意匠形状である第２の加飾層１４が積層される。
第２の加飾層１４はスクリーン印刷によって設けることができる。特にスクリーン印刷に限定することなく、凸版印刷、フレキソ印刷、オフセット印刷、グラビア印刷、インクジェット等を用いることができる。
第２の加飾層１４には黒色インキを用いるのが望ましいが、遮光効果があれば黒色インキに限らない。厚みに制限は無いが、５μｍ〜３０μｍにすると遮光効果が出やすい。
また、第２の加飾層１４の全光線透過率は２０％以下であることが望ましい。
第２の加飾層１４の全光線透過率が２０％より大きい場合に、第２の加飾層１４の透過光が視認され、第２の加飾層１４のない部分とのコントラストが低下し、第２の加飾層１４の視認性が低下するという弊害があるからである。
光源６の非点灯時には第２の領域２において第２の加飾層１４が文字等意匠形状として視認される。一方、光源６の点灯時には第１の加飾層１３から入射する光源６の直接光を遮光するので、文字等意匠形状の外周の発光が視認され、非点灯時とは別の美しい意匠性を表現することができる。
【００５２】
次に支持体８の光源６側の積層構造について詳細に説明する。
第３の領域３の支持体８の光源６側の面に第３の加飾層２１が配置される。
第３の加飾層２１はスクリーン印刷によって設けることができる。特にスクリーン印刷に限定することなく、凸版印刷、フレキソ印刷、オフセット印刷、グラビア印刷、インクジェット等を用いることができる。
第３の加飾層２１には金色インキを用いて任意の絵柄を作るのが望ましいが、半透過性であれば金色インキに限らない。厚みに制限は無いが、５μｍ〜３０μｍにすると半透過性が出やすい。
また、第３の加飾層２１の全光線透過率は４％以上８０％以下であることが望ましい。
第３の加飾層２１の全光線透過率が４％未満の場合には、光源側より入射する光透過性着色層に依存する色の光を透過させて、絵柄を美しく表示することができない。８０％を超える場合には第３の加飾層の透過光の輝度が高すぎて、第１の反射層で拡散反射した間接光の視認を妨げるために立体感が損なわれてしまうという弊害があるからである。
第３の加飾層２１は半透過性のため第１の反射層１１で拡散反射されて入射した間接光を観察者７側に反射するとともに、入射した光の一部を透過させて後述する第２の反射層２２に入射させる。第２の反射層２２に入射した光は反射されて再度第３の加飾層２１を観察者側に向けて透過するので、第３の領域３で視認される間接光の輝度が高まる。これにより、第１の領域１とのコントラストが高まり、第１の領域と第３の領域の境界で立体感が感じられる。また、第３の加飾層の絵柄も同時に視認されるので、美しい意匠性を表現することができる。
なお、第３の加飾層２１は支持体８の観察者７側に設けられても良い。
この場合、第３の加飾層２１の全光線透過率は４％以上であることが望ましい。
第３の加飾層２１の全光線透過率が４％未満の場合には、光源側より入射する光透過性着色層に依存する色の光を透過させて、絵柄を美しく表示することができないという弊害があるからである。
第１の反射層１１で拡散反射された光が第２の反射層２２で反射され、支持体８を透過して第３の加飾層２１に入射する。第３の加飾層２１は半透過性なのでこれを透過するため、観察者７からは第３の加飾層２１の絵柄を通して間接光が視認される。この場合にも第１の領域１とのコントラストから第１の領域と第３の領域の境界で立体感が感じられる。
【００５３】
第３の加飾層２１が支持体８の光源６側に設けられる場合、第３の領域３の支持体８の観察者７側の面に第１の拡散層３１が配置される。
第１の拡散層３１はスクリーン印刷によって設けることができる。特にスクリーン印刷に限定することなく、凸版印刷、フレキソ印刷、オフセット印刷、グラビア印刷、インクジェット等を用いることができる。
第１の拡散層３１には透明インキを用いるのが望ましいが、光の拡散効果、透過効果があれば透明インキに限らない。厚みに制限は無いが、５μｍ〜３０μｍにすると拡散効果が出やすい。
第１の拡散層３１のヘイズ値は５％以上、全光線透過率は６０％以上であることが望ましい。この数値範囲は、第１の拡散層３１のヘイズ値が５％未満の場合、第１の拡散層３１への入射光を第１の領域１へ拡散反射する効果が十分に得られず、第１の拡散層３１の全光線透過率が６０％未満の場合、第１の反射層１１に入射する光量が低下することにより、第１の領域１への反射光の輝度が低下して立体感が損なわれることを考慮したものである。
第１の拡散層３１は光源６の非点灯時に第３の領域３を観察した際における支持体８表面での反射光による眩しさを低減させる効果がある。同時に光透過性があるため光源６の点灯時の第３の領域３における間接光の視認を妨げない。
第１の拡散層３１は必ず設けなければならないわけではなく、前述の支持体８表面での反射光の低減及びデザイン上の必要性がなければ設ける必要はない。
【００５４】
第３の加飾層２１の光源６側の面に第２の反射層２２が積層される。
なお、第２の反射層２２は入射した光が所定の確率で拡散反射する効果を有するものである。
第２の反射層２２はスクリーン印刷によって設けることができる。特にスクリーン印刷に限定することなく、凸版印刷、フレキソ印刷、オフセット印刷、グラビア印刷、インクジェット等を用いることができる。
第２の反射層２２には白色インキを用いるのが望ましいが、光の反射効果があれば白色インキに限らない。厚みに制限は無いが、５μｍ〜３０μｍにすると反射効果が出やすい。
また、第２の反射層２２における３８０〜７８０ｎｍの光線の反射率は６０％以上であることが望ましい。
第２の反射層２２における反射率が６０％未満であった場合に、第２の反射層２２で反射される間接光の輝度が低下し、立体感が損なわれるという弊害があるからである。
第２の反射層２２は光源６が点灯した際に第１の反射層１１で拡散反射され第３の加飾層２１を透過した光を反射されるため、その光が再度第３の加飾層２１を透過して視認されることから第３の領域３における間接光の輝度を高める効果がある。それにより、第１の領域１と第３の領域３のコントラストが上がり、第１の領域１と第３の領域３の境界の立体感が高められる。
なお、第３の加飾層２１が支持体８の観察者７側の面に設けられる場合、第２の反射層２２は支持体８の上に配置される。この際には第１の反射層１１で拡散反射された光を第３の加飾層２１に向けて反射させ、第３の加飾層２１を透過した光が間接光として第３の領域３において視認されることとなる。この間接光と第１の領域１のコントラストにより第１の領域１と第３の領域３の境界に立体感が感じられる。
【００５５】
支持体８の光源６側の面のうち第２の領域２、及び、第３の領域３の第２の反射層２２の光源６側の面に第２の遮光層２３が設けられる。
第２の遮光層２３はスクリーン印刷によって設けることができる。特にスクリーン印刷に限定することなく、凸版印刷、フレキソ印刷、オフセット印刷、グラビア印刷、インクジェット等を用いることができる。
第２の遮光層２３には黒色インキを用いるのが望ましいが、遮光部分と光透過部分を設けることができるのであれば黒色インキに限らない。厚みに制限は無いが、５μｍ〜３０μｍにすると遮光効果が出やすい。
第３の領域３における第２の遮光層２３の全光線透過率は２０％以下であることが望ましい。第２の遮光層２３の全光線透過率が２０％より大きい場合、第２の遮光層２３の入射光を遮光できず、第２の領域２及び第３の領域３において直接光が視認されるために間接光の視認性が低下し立体感が損なわれるという弊害があるからである。
第２の領域２における第２の遮光層２３は文字等意匠形状である第２の加飾層１４が形成されている領域に相当する領域の外周から外側に１ｍｍまでの範囲内のみ透過性を持ち、それ以外の部分は遮光性である。
この透過性を持つ領域（第２の加飾層相当領域）の全光線透過率は６０％以上であり、遮光性を持つ領域の全光線透過率は２０％以下であることが望ましい。
第２の加飾層相当領域の全光線透過率が６０％未満であると、第２の加飾層の外周の透過光が少なく、輝度が下がってしまい第２の加飾層を美しく表示できない。第２の加飾層相当領域以外の全光線透過率が２０％を超えると第２の領域２において第２の加飾層１４以外の部分全体の輝度が高まってしまい、第２の加飾層１４を美しく表示できない。
光源６が点灯した際には、この透過性の部分を抜けた光が支持体８と第１の加飾層１３を透過して第２の加飾層１４の外周部で視認される。一方、第２の領域の第２の加飾層１４の外周部以外の光は遮光されるために、第２の加飾層１４の文字等意匠形状が強調され、美しい表示をすることができる。
第３の領域３における第２の遮光層２３は光源６の直接光を遮光するために間接光を視認させやすくし、第１の領域と第３の領域の境界の立体感を高める効果がある。
【００５６】
第１の領域１の支持体８の光源６側の領域、及び、第２の領域２の第２の遮光層２３の光源６側の領域に光透過性着色層２４が設けられる。特に第１の領域１及び第２の領域２だけに限定することはなく、第３の領域３の第２の遮光層２３の光源６側の領域にも設けられてもかまわない。
光透過性着色層２４はスクリーン印刷によって設けることができる。特にスクリーン印刷に限定することなく、凸版印刷、フレキソ印刷、オフセット印刷、グラビア印刷、インクジェット等を用いることができる。
光透過性着色層２４には有彩色のインキが用いられるのが望ましいが、光透過性のある有彩色の層を設けられるのであればこれに限らない。
また、光透過性着色層２４は全光線透過率が２０％以上であることが望ましい。光透過性着色層２４の全光線透過率が２０％未満の場合、第１の反射層１１に入射して反射され第３の領域で視認される間接光の輝度が低くなることから立体感が損なわれるという弊害があるからである。
光源６が点灯した際に光透過性着色層２４を透過した光が第１の反射層１１で拡散反射されて第３の領域３で視認されるため、間接光は光透過性着色層２４の色に依存する。また、第２の領域２で視認される直接光も光透過性着色層２４を透過していることから光透過性着色層２４の色に依存する。光透過性着色層２４を任意の色にすることにより、文字・絵柄等が美しく表示される。
なお、第１の遮光層１２に絵柄形状の開口部が設けられる場合、この開口部に相当する領域の外周から外側に１ｍｍまでの範囲内に対応する領域に光透過性着色層２４の開口部を設けてもよい。これにより、光透過性着色層２４を透過していない光が第１の遮光層１２の開口部を抜けるため、第１の領域１における絵柄形状が光透過性着色層２４に依存する色で視認されなくなる。この光透過性着色層２４の開口部は必ず設けなければならないわけではなく、デザイン上で必要であれば設けることができる。
さらに、第２の加飾層１４が形成されている領域に相当する領域の外周から外側に１ｍｍまでの範囲内に対応する領域（第２の加飾層相当領域）に、光透過性着色層２４の開口部を設けてもよい。これにより、第２の領域２で視認される文字等意匠形状が光透過性着色層２４に依存する色で視認されなくなる。この開口部も必ず設けなければならないわけではなく、デザイン上で必要であれば設けることができる。
光透過性着色層２４を第２の反射層２２の配置後に設け、光透過性着色層２４の上から第２の遮光層２３を設けてもよい。この構成であっても光透過性着色層２４を透過して第１の領域１及び第２の領域２に侵入する光は変わらないため、シート４の機能は変化しない。
【００５７】
光源６からの光はシート４の入射面より光透過性着色層２４に入射する。光透過性着色層２４を透過した光は第１の領域１において第１の反射層１１で拡散反射され、第３の領域３に抜ける。
ここで、第３の加飾層２１が支持体８の光源６側に配置されている場合は、第１の反射層１１から支持体８を透過して第３の加飾層２１に入射した光の一部が第３の加飾層２１で観察者７に向けて反射されるとともに、第３の加飾層２１に入射した光のうち透過したものが第２の反射層２２に入射させる。第２の反射層２２に入射した光は反射されて再度第３の加飾層２１を観察者側に向けて透過するので、第３の領域３で視認される間接光の輝度が高まる。これにより、第１の領域１とのコントラストが高まり、第１の領域と第３の領域の境界で立体感が感じられる。なお、ここでの間接光は光透過性着色層２４を透過していることから、光透過性着色層２４に依存する有彩色で視認される。
一方、第３の加飾層２１が支持体８の観察者７側に設けられる場合は、第１の反射層１１で拡散反射された光が第２の反射層２２で反射され、支持体８を透過して第３の加飾層２１に入射する。第３の加飾層２１は半透過性なのでこれを透過するため、観察者７からは第３の加飾層２１の絵柄を通して間接光が視認される。この場合にも第１の領域１とのコントラストから第１の領域と第３の領域の境界で立体感が感じられる。
また、第１の領域１では第１の遮光層１２の開口部を抜けた光源６の直接光が絵柄形状として視認される。この際に、光透過性着色層２４の第１の遮光層１２の開口部及びその周辺に対応する部分に開口部を設けると光透過性着色層２４に依存しない色で視認され、第３の領域３の間接光との色の違いからデザイン性を高めることができる。
さらに、第２の領域２では第２の遮光層２３の透過性部分を抜けた直接光が第１の支持体８と第１の加飾層１３を透過して文字等意匠形状の第２の加飾層１４の周辺を抜けるために文字等意匠形状が視認される。この際に、第２の領域２における光透過性着色層２４を開口部とすると光透過性着色層２４に依存しない色で視認され、第３の領域の間接光との色の違いからデザイン性を高めることができる。
【００５８】
図２は、本発明の第２の実施形態に係る情報表示パネル５用の積層シート４をシート延在方向に垂直な面で切った断面図である。（Ａ）は積層の順序をわかりやすくするために各層を分離してあらわしたものであり、（Ｂ）は実際に積層された状態を表したものである。
図２に示すように、積層シート４は、シートの厚さ方向からみて、第１の領域１と、第１の領域１に隣接し且つ互いに離れた、第２の領域２、第３の領域３に分かれている。
積層シート４の延在面上における第１乃至第３の領域の形状により絵柄等の意匠形状が構成されている。
なお、第２、第３の領域と離れた他の領域がさらに設けられていても構わない。その場合、第１の領域は、さらに設けた領域とも隣接する配置となる。
図２において、観察者７は光透過性の支持体８の一方の面側から目視し、光源６は支持体８の他方の面側に設置される。
【００５９】
支持体８の観察者７側の面のうち第１の領域１に、第１の反射層１１、第１の遮光層１２が順に積層されている。
また、支持体８の観察者７側の面のうち第２の領域２に、第１の反射層１１、第１の加飾層１３、第２の加飾層１４が順に積層されている。
さらに、支持体８の観察者７側の面のうち第３の領域３に、第１の拡散層３１が設けられている。
【００６０】
支持体８の光源６側の面のうち第１の領域１に、光透過性着色層２４が設けられている。
また、支持体８の光源６側の面のうち第２の領域２に、第２の反射層２２、第２の遮光層２３、光透過性着色層２４が順に積層されている。
さらに、支持体８の光源６側の面のうち第３の領域３に、第３の加飾層２１、第２の反射層２２、第２の遮光層２３、光透過性着色層２４が順に積層されている。
【００６１】
支持体８の構成、材料、作成方法、効果は、第１の実施形態の場合と同様である。
【００６２】
次に支持体８の観察者７側の積層構造について詳細に説明する。
支持体８の観察者７側の面において、第１の領域及び後述する第２の加飾層１４に対応する位置に第１の反射層１１が配置される。
第１の反射層１１の材料、作成方法は、第１の実施形態の場合と同様である。
第１の領域１において、光源６が点灯した際には第１の反射層１１で反射した光が第３の領域３で間接光として視認される。この時、第１の領域１の第１の反射層１１の幅が広い方が第３の領域３に向けて拡散反射される光が多いために輝度が高くなり、第１の領域１と第３の領域３の境界における立体感が高まる。
デザイン上第１の領域１に絵柄形状を設ける場合、第１の反射層１１を透過した光が後述する第１の遮光層１２の開口部を抜けることにより、観察者から直接光として絵柄形状が視認される。また、この際に第１の反射層１１の第１の遮光層１２に対応する部分に開口部を設け、その開口部を通った光が第１の遮光層１２の開口部を抜けるようにしてもよい。
また、第２の領域２において、光源６が点灯した際には第１の反射層１１で反射した光が支持体８を透過して第２の反射層２２に入射し、そこで反射されて支持体８、第１の加飾層１３を透過して観察者７に間接光として視認される。
【００６３】
第１の領域１の支持体８の観察者７側の面において、第１の反射層１１の上に第１の遮光層１２が積層される。
第１の遮光層１２の構成、材料、作成方法、効果は、第１の実施形態の場合と同様である。
【００６４】
第２の領域２の支持体８の観察者７側の面のうち第１の反射層が積層されていない領域、及び、第２の領域２の第１の反射層１１の観察者７側の面に第１の加飾層１３が配置される。
第１の加飾層１３の構成、材料、作成方法は、第１の実施形態の場合と同様である。
第１の加飾層１３は半透過性のため、光源６の非点灯時には光源６側を隠蔽し、観察者７からは第２の領域は第１の加飾層１３と後述する第２の加飾層１４だけで構成されているように視認される。一方、光源６の点灯時には第２の反射層２２で反射されて支持体８を透過して入射する間接光を透過するので、非点灯時とは別の美しい意匠性を表現することができる。
【００６５】
第１の加飾層１３の観察者７側の面に文字等意匠形状である第２の加飾層１４が積層される。
第２の加飾層１４の構成、材料、作成方法は、第１の実施形態の場合と同様である。
光源６の非点灯時には第２の領域２において第２の加飾層１４が文字等意匠形状として視認される。一方、光源６の点灯時には第１の加飾層１３から入射する間接光を遮光するので、文字等意匠形状の外周の発光が視認され、非点灯時とは別の美しい意匠性を表現することができる。
【００６６】
次に支持体８の光源６側の積層構造について詳細に説明する。
第３の領域３の支持体８の光源６側の面に第３の加飾層２１が配置される。
第３の加飾層２１の構成、材料、作成方法、効果は、第１の実施形態の場合と同様である。
【００６７】
第３の加飾層２１が支持体８の光源６側に設けられる場合、第３の領域３の支持体８の観察者７側の面に第１の拡散層３１が配置される。
第１の拡散層３１の構成、材料、作成方法、効果は、第１の実施形態の場合と同様である。
【００６８】
第３の加飾層２１の光源６側の面、及び、支持体８の光源６側の面のうち、第２の領域２における第２の加飾層１４が積層されていない領域に相当する部分に第２の反射層２２が設けられる。
第２の反射層２２の構成、材料、作成方法は、第１の実施形態の場合と同様である。
第２の領域２において、光源６が点灯した際には第１の領域１及び第２の領域２の第１の反射層１１で反射した光が支持体８を透過して第２の反射層２２に入射し、そこで反射されて支持体８、第１の加飾層１３を透過して観察者７に間接光として視認される。
また、第３の領域３において第２の反射層２２は光源６が点灯した際に第１の反射層１１で拡散反射され第３の加飾層２１を透過した光を反射されるため、その光が再度第３の加飾層２１を透過して視認されることから第３の領域３における間接光の輝度を高める効果がある。それにより、第１の領域１と第３の領域３のコントラストが上がり、第１の領域１と第３の領域３の境界の立体感が高められる。
なお、第３の加飾層２１が支持体８の観察者７側の面に設けられる場合、第３の領域３における第２の反射層２２は支持体８の上に配置される。この際には第１の反射層１１で拡散反射された光を第３の加飾層２１に向けて反射させ、第３の加飾層２１を透過した光が間接光として第３の領域３において視認されることとなる。この間接光と第１の領域１のコントラストにより第１の領域１と第３の領域３の境界に立体感が感じられる。
【００６９】
第２の反射層２２の光源６側の面に第２の遮光層２３が設けられる。
第２の遮光層２３はスクリーン印刷によって設けることができる。特にスクリーン印刷に限定することなく、凸版印刷、フレキソ印刷、オフセット印刷、グラビア印刷、インクジェット等を用いることができる。
第２の遮光層２３には黒色インキを用いるのが望ましいが、遮光部分と光透過部分を設けることができるのであれば黒色インキに限らない。厚みに制限は無いが、５μｍ〜３０μｍにすると遮光効果が出やすい。
第２の遮光層２３の全光線透過率は２０％以下であることが望ましい。第２の遮光層２３の全光線透過率が２０％より大きい場合、第２の遮光層２３の入射光を遮光できず、第２の領域２及び第３の領域３において直接光が視認されるために間接光の視認性が低下し立体感が損なわれるという弊害があるからである。
第２の領域２において光源６が点灯した際には、光源６からの直接光を第２の遮光層２３が遮光することで第２の反射層２２で反射される間接光を支持体８、第１の加飾層１３の透過後に第２の加飾層１４の外周部で視認させやすくする効果がある。一方、第２の領域の第２の加飾層１４の外周部以外の間接光は遮光されるために、第２の加飾層１４の文字等意匠形状が強調され、美しい表示をすることができる。
第３の領域３における第２の遮光層２３は光源６の直接光を遮光するために間接光を視認させやすくし、第１の領域と第３の領域の境界の立体感を高める効果がある。
【００７０】
支持体８の光源６側の面のうち、第２の反射層１１が積層されていない領域に光透過性着色層２４が設けられる。特に第２の反射層１１が積層されていない領域だけに限定することはなく、第２の遮光層２３の光源６側の領域にも設けられてもかまわない。
光透過性着色層２４の構成、材料、作成方法、効果は、第１の実施形態の場合と同様である。
【００７１】
光源６からの光はシート４の入射面より光透過性着色層２４に入射する。光透過性着色層２４を透過した光は第１の反射層１１で拡散反射され、第２の領域２及び第３の領域３に抜ける。
ここで、第３の加飾層２１が支持体８の光源６側に配置されている場合は、第１の領域１において第１の反射層１１の拡散反射光が支持体８を透過して第３の加飾層２１に入射した光のうち一部が第３の加飾層２１で観察者７に向けて反射されるとともに、第３の加飾層２１に入射した光のうち透過したものが第２の反射層２２に入射させる。第２の反射層２２に入射した光は反射されて再度第３の加飾層２１を観察者側に向けて透過するので、第３の領域３で視認される間接光の輝度が高まる。これにより、第１の領域１とのコントラストが高まり、第１の領域と第３の領域の境界で立体感が感じられる。なお、ここでの間接光は光透過性着色層２４を透過していることから、光透過性着色層２４に依存する有彩色で視認される。
一方、第３の加飾層２１が支持体８の観察者７側に設けられる場合は、第１の領域１において第１の反射層１１で拡散反射された光が第２の反射層２２で反射され、支持体８を透過して第３の加飾層２１に入射する。第３の加飾層２１は半透過性なのでこれを透過するため、観察者７からは第３の加飾層２１の絵柄を通して間接光が視認される。この場合にも第１の領域１とのコントラストから第１の領域と第３の領域の境界で立体感が感じられる。
また、第１の領域１では第１の遮光層１２の開口部を抜けた光源６の直接光が絵柄形状として視認される。この際に、光透過性着色層２４の第１の遮光層１２の開口部及びその周辺に対応する部分に開口部を設けると光透過性着色層２４に依存しない色で視認され、第３の領域３の間接光との色の違いからデザイン性を高めることができる。
さらに、第２の領域２では、第１の領域１及び第２の領域２における第１の反射層１１の拡散反射光が第２の領域２における第２の反射層２２で反射され、間接光として第１の支持体８と第１の加飾層１３を透過して文字等意匠形状の第２の加飾層１４の周辺を抜けるために立体感のある文字等意匠形状が視認される。この際に、第２の領域２における光透過性着色層２４を開口部とすると光透過性着色層２４に依存しない色で視認され、第３の領域の間接光との色の違いからデザイン性を高めることができる。
【００７２】
情報表示機器筺体内の空間的な設計上の制約を受けないためには、支持体８の厚さは、０．１０〜５ｍｍの範囲が好ましい。
【００７３】
本発明に係る情報表示パネル５は、前述した積層シート４と光源６を少なくとも備える。
光源６は、例えば、エッジライト式光源と導光板からなる面光源やＬＥＤ光源等が用いられる。
【００７４】
本発明に係る輸送機器は、例えば、自動車および飛行機等がある。輸送機器は、前述した情報表示パネル５を少なくとも具備しており、例えば、情報表示パネル５の観察者７側に樹脂製カバーを備えた形で、速度計測器の表示パネル等に使用される。輸送機器の構造は一般的に用いられるものである。
【実施例１】
【００７５】
本発明の第１の実施例について図１の構成に沿って具体的に説明する。
支持体８として厚さｄのポリカーボネートの観察者７側の面には、第１の領域１にスクリーン印刷で白インキの第１の反射層１１が配置され、黒インキの第１の遮光層１２が第１の領域１に積層され、第１の遮光層１２には絵柄形状の開口部が設けられ、金色インキの第１の加飾層１３が第２の領域２に配置され、黒インキで文字等意匠形状である第２の加飾層１４が第２の領域２に積層され、透明インキの第１の拡散層３１が第３の領域３に設けられている。
支持体８の光源６側の面には、金色インキの第３の加飾層２１が第３の領域３に設けられ、白インキの第２の反射層２２が第３の領域３の第３の加飾層２１に積層され、第２の反射層２２が設けられた後に黒インキの第２の遮光層２３が第２の領域２及び第３の領域３に配置され、第２の遮光層２３の第２の加飾層１４とその外周１ｍｍの部分に対応する部分のみ光透過性を持ち、青インキの光透過性着色層２４が第１の領域１及び第２の領域２及び第３の領域３に配置され、光透過性着色層２４の第１の遮光層１２の開口部とその外周１ｍｍの部分に対応する部分が開口部となっている。
そして、本発明の情報表示パネル５の他方の面側に光源６となる１，０００ｃｄ/ｍ２のＬＥＤ光源を置き、非点灯時と点灯時に一方の面側の観察者７が目視した。
【００７６】
図１の構成で支持体８の厚さｄを１ｍｍとして、第１の領域１の最も狭い部分の幅ｗ１と第３の領域の最も広い部分の幅ｗ３を変えた際のｗ１/ｗ３の計算結果及び光源６の非点灯時の色と点灯時の第３の領域３における色及び第１の領域１と第３の領域３の境界部分の立体感を表１に示す。
【００７７】
【表１】
0005600998.tif 000002
【００７８】
なお、立体感は目視による官能評価であり、評価が３以上で合格とする。
【００７９】
表１から第３の領域３において、各条件で光源６の点灯時は青色が視認され、非点灯時の金色と異なることから、光源６の点灯、非点灯により色の変化を表現できていることがわかる。また、第３の領域３で十分な立体感を得るためにはｗ１/ｗ３が０．１５以上である必要があることが確認できる。ｗ１/ｗ３が０．１５未満では第１の領域１が狭いために、第１の反射層１１で拡散反射され第３の領域３に向かう光の輝度が低くなってしまうためと推測される。
【００８０】
表２に図１の構成で、第１の領域１の最も狭い部分の幅ｗ１と第３の領域の最も広い部分の幅ｗ３においてｗ１/ｗ３が０．９０であることが成り立つとして、支持体８の厚さｄとｗ１を変えた際のｄ×ｗ１の計算結果及び光源６の非点灯時の色と点灯時の第３の領域３における色及び第１の領域１と第３の領域３の境界部分の立体感を表２に示す。なお、ｄは情報表示機器筺体内の空間的な設計上の制約を受けないようにするため、０．１０ｍｍ〜５．００ｍｍの範囲にしている。
【００８１】
【表２】
0005600998.tif 000003
【００８２】
表２から第３の領域３において、各条件で光源６の点灯時は青色が視認され、非点灯時の金色と異なることから、光源６の点灯、非点灯により色の変化を表現できていることがわかる。また、第３の領域３で十分な立体感を得るためにはｄ×ｗ１が１．００以上である必要があることが確認できる。ｄ×ｗ１が１．００未満では第１の反射層１１で拡散反射された光が第１の領域１の支持体８で広がる範囲が狭く、第３の領域３に向かう光の輝度が低くなってしまうためと推測される。
【実施例２】
【００８３】
本発明の第２の実施例について図２の構成に沿って具体的に説明する。
支持体８として厚さｄのポリカーボネートの観察者７側の面にはスクリーン印刷で白インキの第１の反射層１１が第１の領域１及び第２の領域２に配置され、黒インキの第１の遮光層１２が第１の領域１に積層され、第１の遮光層１２には絵柄形状の開口部が設けられ、金色インキの第１の加飾層１３が第１の反射層１１の配置後に第２の領域２に設けられ、黒インキで文字等意匠形状である第２の加飾層１４が第２の領域２に積層され、第２の領域２における第１の反射層１１は第２の加飾層１４に対応する位置に配置されていて、透明インキの第１の拡散層３１が第３の領域３に設けられている。
支持体８の光源６側の面には金色インキの第３の加飾層２１が第３の領域３に設けられ、白インキの第２の反射層２２が第３の加飾層２１の配置後に第２の領域２における第２の加飾層１２に対応しない部分及び第３の領域３に積層され、黒インキの第２の遮光層２３が第２の反射層２２の上に設けられ、青インキの光透過性着色層２４が第１の領域１及び第２の領域２及び第３の領域３に配置され、光透過性着色層２４の第１の遮光層１２の開口部とその外周１ｍｍの部分に対応する部分が開口部となっている。
そして、本発明の情報表示パネル５の他方の面側に光源６となる１，０００ｃｄ/ｍ２のＬＥＤ光源を置き、非点灯時と点灯時に一方の面側の観察者７が目視した。
【００８４】
図２の構成で支持体８の厚さｄを１ｍｍとして、第１の領域１の最も狭い部分の幅ｗ１と第３の領域の最も広い部分の幅ｗ３を変えた際のｗ１/ｗ３の計算結果及び光源６の非点灯時の色と点灯時の第３の領域３における色及び第１の領域１と第３の領域３の境界部分の立体感を表３に示す。
【００８５】
【表３】
0005600998.tif 000004
【００８６】
なお、立体感は目視による官能評価であり、評価が３以上で合格とする。
【００８７】
表３から第３の領域３において、各条件で光源６の点灯時は青色が視認され、非点灯時の金色と異なることから、光源６の点灯、非点灯により色の変化を表現できていることがわかる。また、第３の領域３で十分な立体感を得るためにはｗ１/ｗ３が０．１５以上である必要があることが確認できる。ｗ１/ｗ３が０．１５未満では第１の領域１が狭いために、第１の反射層１１で拡散反射され第３の領域３に向かう光の輝度が低くなってしまうためと推測される。
【００８８】
表４に図２の構成で、第１の領域１の最も狭い部分の幅ｗ１と第３の領域の最も広い部分の幅ｗ３においてｗ１/ｗ３が０．９０であることが成り立つとして、支持体８の厚さｄとｗ１を変えた際のｄ×ｗ１の計算結果及び光源６の非点灯時の色と点灯時の第３の領域３における色及び第１の領域１と第３の領域３の境界部分の立体感を示す。なお、ｄは情報表示機器筺体内の空間的な設計上の制約を受けないようにするため、０．１０ｍｍ〜５．００ｍｍの範囲にしている。
【００８９】
【表４】
0005600998.tif 000005
【００９０】
表４から第３の領域３において、各条件で光源６の点灯時は青色が視認され、非点灯時の金色と異なることから、光源６の点灯、非点灯により色の変化を表現できていることがわかる。また、第３の領域３で十分な立体感を得るためにはｄ×ｗ１が１．００以上である必要があることが確認できる。ｄ×ｗ１が１．００未満では第１の反射層１１で拡散反射された光が第１の領域１の支持体８で広がる範囲が狭く、第３の領域３に向かう光の輝度が低くなってしまうためと推測される。
【００９１】
図２の構成で支持体８の厚さｄを１ｍｍとして、第１の領域１及び第２の領域２において最も狭い部分の幅ｗ’と第２の領域２の最も広い部分の幅ｗ２と第１の加飾層１３の全光線透過率Ｔｔ１を変えた際のｗ’/ｗ２×Ｔｔ１の計算結果及び光源６の非点灯時の色と点灯時の第２の領域２における第２の加飾層１４の周囲の色及び第２の加飾層１４の立体感を表５に示す。
【００９２】
【表５】
0005600998.tif 000006
【００９３】
表５から第２の領域２の第２の加飾層１４の周辺部において、各条件で光源６の点灯時は青色が視認され、非点灯時の金色と異なることから、光源６の点灯、非点灯により色の変化を表現できていることがわかる。また、第２の加飾層１４の十分な立体感を得るためにはｗ’/ｗ２×Ｔｔ１が０．１５以上である必要があることが確認できる。ｗ’/ｗ２×Ｔｔ１が０．１５未満では第１の反射層１１が狭いかあるいは第１の加飾層１３の全光線透過率が低すぎるために、第２の加飾層１４の周辺部で視認される間接光の輝度が低くなってしまうためと推測される。
【００９４】
表６に図２の構成で、第１の領域１及び第２の領域２において最も狭い部分の幅をｗ’、第２の領域２の最も広い部分の幅をｗ２、第１の加飾層１３の全光線透過率をＴｔ１としてｗ’/ｗ２×Ｔｔ１が０．９０であることが成り立つとして、支持体８の厚さｄとｗ１、Ｔｔ１を変えた際のｄ×ｗ１×Ｔｔ１の計算結果及び光源６の非点灯時の色と点灯時の第２の領域２における第２の加飾層１４の周囲の色及び第２の加飾層１４の立体感を表６に示す。なお、ｄは情報表示機器筺体内の空間的な設計上の制約を受けないようにするため、０．１０ｍｍ〜５．００ｍｍの範囲にしている。
【００９５】
【表６】
0005600998.tif 000007
【００９６】
表６から第２の領域２の第２の加飾層１４の周辺部において、各条件で光源６の点灯時は青色が視認され、非点灯時の金色と異なることから、光源６の点灯、非点灯により色の変化を表現できていることがわかる。また、第２の加飾層１４の十分な立体感を得るためにはｄ×ｗ１×Ｔｔ１が１．００以上である必要があることが確認できる。ｄ×ｗ１×Ｔｔ１が１．００未満では第１の反射層１１で拡散反射された光が第２の領域２の支持体８で広がる範囲が狭いかあるいは第１の加飾層１３の全光線透過率が低すぎるために、第２の加飾層１４の周辺部で視認される間接光の輝度が低くなってしまうためと推測される。
【００９７】
前記実施例のシート４を用いた情報表示パネル５において、光源６を点灯させることにより、文字・絵柄等に相当する第３の領域３または第２の領域２における第２の加飾層１４に立体感を生じさせるとともに、光源６の点灯時と非点灯時とに色変化をつけて文字・絵柄を美しく表現することができた。
【００９８】
実施例１乃至２で作製した情報表示パネルを背面に光源を、前面の観察者側に樹脂製カバーを備えた輸送機器に用いた。
【符号の説明】
【００９９】
１      第１の領域
２      第２の領域
３      第３の領域
４      シート
５      情報表示パネル
６      光源
７      観察者
８      支持体
１１    第１の反射層
１２    第１の遮光層
１３    第１の加飾層
１４    第２の加飾層
２１    第３の加飾層
２２    第２の反射層
２３    第２の遮光層
２４    光透過性着色層
３１    第１の拡散層
【図１】
0005600998.tif 000008
【図２】
0005600998.tif 000009